(57)【要約】【課題】ＤＣＦディレクトリに別名を設定することにより、ＤＣＦディレクトリの名称はそのままで撮影者の判断しやすい名称（別名）を表示することを可能にする。【解決手段】ＤＣＦディレクトリが存在する記憶媒体のルートディレクトリに別名管理ファイルを用意し、その別名管理ファイルの中で、ＤＣＦディレクトリの名称と別名を１対１で管理する。【選択図】        図１
2004171388.tif 000002
【特許請求の範囲】
【請求項１】
撮影画像をＤＣＦ規格に基づいて記録媒体に記録し、前記撮影画像を記録あるいは再生するＤＣＦディレクトリを撮影者が選択できる手段を有し、前記ＤＣＦディレクトリの名称を表示する表示部を有する画像処理装置において、前記ＤＣＦディレクトリの名称の代わりに別名を表示することを特徴とする画像情報表示方法。
【請求項２】
前記ＤＣＦディレクトリの名称と前記別名は別名管理ファイルにより対応付けられ、前記ＤＣＦディレクトリの名称は書き換わらないことを特徴とする請求項１の画像情報表示方法。
【請求項３】
前記別名管理ファイルは、前記撮影画像と同じく、記録媒体に記録されることを特徴とする請求項２の画像情報表示方法。
【請求項４】
前記別名の入力は、前記ＤＣＦディレクトリに対して行う入力画面を持つことを特徴とする請求項３の画像情報表示方法。
【発明の詳細な説明】
【０００１】
【発明の属する技術分野】
本発明は、静止画像を撮像、記録、再生する画像処理装置の画像情報表示方法に関する。
【０００２】
【従来の技術】
将来、固体メモリ素子を有するメモリカードを記録媒体として、ＣＣＤ等の固体撮像素子で撮影した静止画像をＤＣＦ規格（カメラファイルシステム規格）に基づいてＤＣＦディレクトリの下に記録するデジタルカメラ等の画像処理装置は既に市販されている。
【０００３】
これらのデジタルカメラには、画像情報の一部としてＤＣＦディレクトリの名称を表示するものや、撮影画像を格納するＤＣＦディレクトリを指定できる機能が付いているものもある。
【０００４】
【発明が解決しようとする課題】
しかしながら、ＤＣＦ規格の命名規則としてＤＣＦディレクトリの名称は数字３桁と英数字５桁であり、撮影者からするとＤＣＦディレクトリの名称はわかりづらく、ＤＣＦディレクトリの名称からＤＣＦディレクトリに格納されている画像を推測するのは難しいという問題があった。
【０００５】
本発明は、上述の問題点に鑑みて為されたもので、その目的とする処は、ＤＣＦディレクトリの名称の代わりに撮影者の判断しやすい名称（別名）を表示することが可能であり、ＤＣＦディレクトリの名称と別名を別名管理ファイルで対応付けすることにより、ＤＣＦディレクトリの名称を書き換えることなく別名の表示を実現することが可能であり、しかも、別名の入力操作を容易に行うことが可能な画像情報表示方法を提供することにある。
【０００６】
【課題を解決するための手段】
このため、本発明においては、下記の各項（１）〜（４）に示す画像情報表示方法を提供することにより、前記目的を達成しようとするものである。
【０００７】
（１）撮影画像をＤＣＦ規格に基づいて記録媒体に記録し、前記撮影画像を記録あるいは再生するＤＣＦディレクトリを撮影者が選択できる手段を有し、前記ＤＣＦディレクトリの名称を表示する表示部を有する画像処理装置において、前記ＤＣＦディレクトリの名称の代わりに別名を表示することを特徴とする画像情報表示方法。
【０００８】
（２）前記ＤＣＦディレクトリの名称と前記別名は別名管理ファイルにより対応付けられ、前記ＤＣＦディレクトリの名称は書き換わらないことを特徴とする前記（１）項の画像情報表示方法。
【０００９】
（３）前記別名管理ファイルは、前記撮影画像と同じく、記録媒体に記録されることを特徴とする前記（２）項の画像情報表示方法。
【００１０】
（４）前記別名の入力は、前記ＤＣＦディレクトリに対して行う入力画面を持つことを特徴とする前記（３）項の画像情報表示方法。
【００１１】
【発明の実施の形態】
以下、本発明の実施の形態を説明する。
【００１２】
以下、実施例について図面を参照して述べる。
【００１３】
図１は、本発明の実施例の構成を示す図であり、デジタルカメラの表示系で使用される構成の一部である。
【００１４】
１０は画像処理装置の一部である。
【００１５】
１１はメモリであり、システム制御回路１７の動作用の定数、変数、プログラム等を記憶する。
【００１６】
１２は不揮発性メモリであり、電気的に消去・記録可能であり、例えばＥＥＰＲＯＭ等が用いられる。
【００１７】
１３は表示部であり、システム制御回路１７でのプログラムの実行に応じて、文字、画像、音声などを用いて動作状態やメッセージなどを表示する液晶表示装置、スピーカー等の表示部であり、例えばＴＦＴやＬＣＤやＬＥＤ、発音素子等の組み合わせにより構成され、単数或いは複数個所設置される。
【００１８】
１４は操作部であり、各種ボタンやタッチパネル等からなり、表示部１３への表示や、カメラ操作に用いられる。
【００１９】
１５はインタフェース、１６はメモリカードやハードディスク等の記録媒体との接続を行うコネクタである。
【００２０】
１７はシステム制御回路であり、画像処理装置１０全体を制御する。
【００２１】
２０は記録媒体であり、メモリカードやハードディスク等である。
【００２２】
２１は記録部、２２はインタフェース、２３はコネクタである。
【００２３】
記録媒体２０は、半導体メモリや磁気ディスク等から構成される記録部２１、画像処理装置１０とのインタフェース２２、画像処理装置１０と接続を行うコネクタ２３を備えている。
【００２４】
次に、図２を参照して、本発明の実施例の動作を説明する。
【００２５】
図２に、本発明の実施例の別名表示のフローチャートを示す。
【００２６】
ＤＣＦディレクトリの名称又は別名を表示部１３のＴＦＴ等に表示する際、システム制御回路１７は記録部２１に別名管理ファイル（図４）が存在するか調べる（Ｓ２０１）。別名管理ファイル（図４）が存在しない場合は、ＤＣＦディレクトリの名称を表示して（Ｓ２０２）フローチャートを終了し、別名管理ファイル（図４）が存在する場合は次のステップ（Ｓ２０３）へ進む。
【００２７】
次に、別名管理ファイルをオープン（Ｓ２０３）し、別名管理ファイルから一行読み込み（Ｓ２０４）、別名管理ファイルにデータが存在するか調べる（Ｓ２０５）。データが存在しない場合は、別名管理ファイルイをクローズ（Ｓ２１２）した後、ＤＣＦディレクトリの名称を表示して（Ｓ２０２）フローチャートを終了する。存在する場合は、読み込んだデータを：（コロン）で分け（Ｓ２０６）、コロンより前側のデータが表示対象のＤＣＦディレクトリの名称と等しいかを調べる（Ｓ２０７）。等しくなければ、別名管理ファイルからまた一行読み込み（Ｓ２０４）、等しい場合には、別名管理ファイルをクローズする（Ｓ２０８）。
【００２８】
次に、別名の文字数を数え、特定の文字数よりオーバーしていないかを調べる（Ｓ２０９）。文字数がオーバーした場合は、”特定の文字数”番目以降の文字を削除し、”…”を付加した文字列を作成して表示する（Ｓ２１０）。例えば、別名が「朝顔の観察日記」で、特定の文字数が６文字の場合、”特定の文字数”番目の文字すなわち６番目以降の文字を削除し、”…”を付加して「朝顔の観察…」という文字列を作成して表示する。この特定の文字数は限られた表示領域に表示する際に有効である。また、文字数をオーバーしていない場合は、別名をそのまま表示する（Ｓ２１１）。
【００２９】
図３に、本発明の実施例の別名登録のフローチャートを示す。
【００３０】
ＤＣＦディレクトリに対して別名を登録する際、システム制御回路１７は記録部２１に別名管理ファイル（図４）が存在するか調べる（Ｓ３０１）。別名管理ファイル（図４）が存在しない場合は、眼部名管理ファイルを作成し（Ｓ３０２）、“ＤＣＦディレクトリの名称”：“別名”という形式のデータをファイルに追加し（Ｓ３０３）、別名管理ファイルをクローズ（Ｓ３１０）して、処理を終了する。
【００３１】
別名管理ファイル（図４）が存在する場合は、別名管理ファイル（図４）を追加モードでオープンし（Ｓ３０４）、一行分のデータを読み込む（Ｓ３０５）。データを読み込めなかった場合には、“ＤＣＦディレクトリの名称”：“別名”という形式のデータをファイルに追加し（Ｓ３０３）、別名管理ファイルをクローズ（Ｓ３１０）して、処理を終了する。
【００３２】
データを読み込めた場合は、読み込んだデータを：（コロン）で分け（Ｓ３０７）、コロンより前側のデータが、別名を登録するＤＣＦディレクトリの名称と等しいかを調べる（Ｓ３０８）。等しくなければ、別名管理ファイルからまた一行読み込み（Ｓ３０５）、等しい場合には、別名を書き換えて（Ｓ３０９）、別名管理ファイルをクローズし（Ｓ３１０）、処理を終了する。
【００３３】
図４に、ＤＣＦディレクトリの名称と別名との対応付けの為の別名管理ファイルの一例を示す。
【００３４】
図４はテキストファイルであり、記録部２１のルートディレクトリに作成される。ファイルの内容はＤＣＦファイルの名称データ（４０１）と別名データ（４０２）から構成され、二つのデータは：（コロン）で区切られる。
【００３５】
図５に、表示部１３のＴＦＴ等で別名を設定する際の表示例を示す。
【００３６】
５０１は別名表示領域で、操作部１４から入力中の別名の表示を行い、別名は、別名管理ファイル（図４）にアクセスして書き込む。
【００３７】
また、実施例２はデジタルカメラでの別名の入力について説明したが、パーソナルコンピュータにデジタルカメラを接続することや、パーソナルコンピュータに記録媒体２０を接続することにより、図６のように、パーソナルコンピュータからの別名の設定も実現可能である。その場合、６０１が別名表示領域である。
【００３８】
図７に、ＤＣＦディレクトリを表示部１３のＴＦＴ等へ表示した際の表示例を示す。
【００３９】
７０１は別名の表示例であり、７０２はＤＣＦディレクトリに別名が登録されていない場合のＤＣＦディレクトリ名表示例である。
【００４０】
以上、実施例ついて説明したが、別名管理ファイルはＤＣＦディレクトリ毎に作成して管理することも可能である。
【００４１】
また、実施例では、別名が登録済の場合には必ず別名が表示されるが、別名を表示するか否かを撮影者が指示することにより、ＤＣＦディレクトリを表示することが可能である。また、別名を表示するか否かの情報を不揮発性メモリ１２に保存しておくことで、次回デジタルカメラ使用時に再度設定する必要が無くなり、撮影者の使い易い環境を提供することが可能となる。
【００４２】
【発明の効果】
以上説明したように、本発明によれば、ＤＣＦディレクトリの名称の代わりに撮影者の判断しやすい名称（別名）を表示することが可能であり、ＤＣＦディレクトリの名称と別名を別名管理ファイルで対応付けすることにより、ＤＣＦディレクトリの名称を書き換えることなく別名の表示を実現することが可能であり、しかも、別名の入力操作を容易に行うことが可能な画像情報表示方法を提供することができる。
【図面の簡単な説明】
【図１】本発明の一実施例の構成ブロック図の一部である。
【図２】本実施例の別名表示のフローチャートである。
【図３】本実施例の別名登録のフローチャートである。
【図４】本実施例の別名管理ファイルである。
【図５】本実施例のデジタルカメラにおける別名設定画面である。
【図６】本実施例のパーソナルコンピュータにおける別名設定画面である。
【図７】本実施例の表示の一例である。
【符号の説明】
１３  表示部
１４  操作部
１７  システム制御回路
２０  記録媒体
５０１、６０１  別名表示領域
７０１  別名の表示例
【図１】
2004171388.tif 000003
【図２】
2004171388.tif 000004
【図３】
2004171388.tif 000005
【図４】
2004171388.tif 000006
【図５】
2004171388.tif 000007
【図６】
2004171388.tif 000008
【図７】
2004171388.tif 000009